(57)【特許請求の範囲】
【請求項１】
選択されたコンテンツに含まれるオブジェクトから、表示状態の変更前後において共通して表示される共通表示オブジェクトを決定する共通表示オブジェクト決定部と、
前記共通表示オブジェクトを取得する取得部と、
前記表示状態を変更する操作後の表示画面上における前記共通表示オブジェクトの表示位置を、前記操作の方向に基づいて決定するレイアウト決定部と、
決定された前記表示位置に前記共通表示オブジェクトを含む表示画像を生成する画像生成部と、
を備える、情報処理装置。
【請求項２】
前記画像生成部は、前記共通表示オブジェクトの一部分を含む前記表示画像を生成する、請求項１に記載の情報処理装置。
【請求項３】
前記表示画像に含まれる前記共通表示オブジェクトの前記一部分は、前記操作の前記方向に基づいて決定される、請求項２に記載の情報処理装置。
【請求項４】
前記画像生成部は、選択されたコンテンツを用いて前記表示画像を生成し、
前記レイアウト決定部は、前記操作後の前記表示画面に含まれる前記コンテンツ中の一部分が前記コンテンツに占める割合に基づいて、前記共通表示オブジェクトの大きさを決定する、請求項１〜３のいずれか一項に記載の情報処理装置。
【請求項５】
前記共通表示オブジェクト決定部は、文字を含むオブジェクトから前記共通表示オブジェクトを決定する、
請求項１に記載の情報処理装置。
【請求項６】
前記画像生成部は、選択されたコンテンツの一部を切り出し、前記共通表示オブジェクトを重畳することにより前記表示画像を生成する、
請求項１〜５のいずれか一項に記載の情報処理装置。
【請求項７】
前記レイアウト決定部は、前記操作後の前記表示画面に含まれる前記コンテンツの前記一部が前記コンテンツに占める割合に基づいて、重畳する前記共通表示オブジェクトの大きさを決定する、
請求項６に記載の情報処理装置。
【請求項８】
前記レイアウト決定部は、選択されたコンテンツに含まれるオブジェクトの配置を再構成することによりレイアウトを決定して、前記操作後のレイアウトを動的に生成する、
請求項１〜５のいずれか一項に記載の情報処理装置。
【請求項９】
前記レイアウト決定部は、前記操作の方向に基づいて、次の操作方向に表示される情報の内容を制限する、
請求項８に記載の情報処理装置。
【請求項１０】
選択されたコンテンツに含まれるオブジェクトから、表示状態の変更前後において共通して表示される共通表示オブジェクトを決定することと、
前記共通表示オブジェクトを取得することと、
前記表示状態を変更する操作後の表示画面上における前記共通表示オブジェクトの表示位置を、前記操作の方向に基づいて決定することと、
決定された前記表示位置に前記共通表示オブジェクトを含む表示画像を生成することと、
を含む、情報処理方法。
【請求項１１】
コンピュータを、
選択されたコンテンツに含まれるオブジェクトから、表示状態の変更前後において共通して表示される共通表示オブジェクトを決定する共通表示オブジェクト決定部と、
前記共通表示オブジェクトを取得する取得部と、
前記表示状態を変更する操作後の表示画面上における前記共通表示オブジェクトの表示位置を、前記操作の方向に基づいて決定するレイアウト決定部と、
決定された前記表示位置に前記共通表示オブジェクトを含む表示画像を生成する画像生成部と、
を備える、情報処理装置として機能させるためのプログラム。
【発明の詳細な説明】
【技術分野】
【０００１】
本開示は、情報処理装置、情報処理方法、及びプログラムに関する。
【背景技術】
【０００２】
情報を表示させる表示画面の大きさには限りがある。この表示画面に多くの情報を表示させようとする場合に、情報の一部を表示させることがある。例えばスクロール操作、拡大操作、縮小操作などを組合わせて、ユーザは情報のうち表示される領域を変更しながら情報を閲覧することができる。【０００３】
ところが、詳細な情報を見ようとすると情報の全体像を把握することが困難となり、現在閲覧している情報が全体のうちどの部分に該当するかを知ることが難しい。このため、例えば特許文献１には、コンテンツのリスト画面と現在再生されているコンテンツの詳細情報を表示する画面とを切替えて表示する再生装置が開示されている。
【先行技術文献】
【特許文献】
【０００４】
【特許文献１】特開２００７−１４９３１３号公報
【発明の概要】
【発明が解決しようとする課題】
【０００５】
しかし、俯瞰性を得るために画面の切替が発生すると、ユーザ操作の負荷が増大してしまう。
上記事情に鑑みれば、画面を切替えずに現在表示している情報の位置を知ることができることが望ましい。
【課題を解決するための手段】
【０００６】
本開示によれば、表示状態の変更前後において共通して表示される共通表示オブジェクトを取得する取得部と、上記表示状態を変更する操作後の表示画面上における上記共通表示オブジェクトの表示位置を、上記操作の方向に基づいて決定するレイアウト決定部と、決定された上記表示位置に上記共通表示オブジェクトを含む表示画像を生成する画像生成部と、を有する情報処理装置が提供される。【０００７】
また、本開示によれば、表示状態の変更前後において共通して表示される共通表示オブジェクトを取得することと、上記表示状態を変更する操作後の表示画面上における上記共通表示オブジェクトの表示位置を、上記操作の方向に基づいて決定することと、決定された上記表示位置に上記共通表示オブジェクトを含む表示画像を生成することと、を含む、情報処理方法が提供される。【０００８】
また、本開示によれば、コンピュータを、表示状態の変更前後において共通して表示される共通表示オブジェクトを取得する取得部と、上記表示状態を変更する操作後の表示画面上における上記共通表示オブジェクトの表示位置を、上記操作の方向に基づいて決定するレイアウト決定部と、決定された上記表示位置に上記共通表示オブジェクトを含む表示画像を生成する画像生成部と、を有する情報処理装置として機能させるためのプログラムが提供される。
【発明の効果】
【０００９】
以上説明したように本開示によれば、画面を切替えずに現在表示している情報の位置を知ることができる。
【図面の簡単な説明】
【００１０】
【図１】本開示の第１及び第２の実施形態に係る情報処理装置の外観例を示す説明図である。
【図２】本開示の第１及び第２の実施形態に係る情報処理装置が用いるコンテンツの一例を示す説明図である。
【図３】本開示の第１の実施形態に係る情報処理装置の機能の概要を説明するための説明図である。
【図４】同実施形態に係る情報処理装置が表示する共通表示オブジェクトの配置例を示す説明図である。
【図５】同実施形態に係る情報処理装置の機能構成を示すブロック図である。
【図６】同実施形態に係る情報処理装置の表示領域変更操作とアニメーション方向の決定方法の一例についての説明図である。
【図７】同実施形態に係る情報処理装置の表示領域変更操作とアニメーション方向の決定方法の他の一例についての説明図である。
【図８】同実施形態に係る情報処理装置において表示領域と共通表示オブジェクトのサイズとの間の関係について示す説明図である。
【図９】同実施形態に係る情報処理装置における共通表示オブジェクトの表示位置決定処理についての説明図である。
【図１０】同実施形態に係る情報処理装置において表示領域の変更におけるアニメーション表現の一例を示す説明図である。
【図１１】同実施形態に係る情報処理装置において表示領域の変更におけるアニメーション表現の他の一例を示す説明図である。
【図１２】同実施形態に係る情報処理装置の動作例を示すフローチャートである。
【図１３】本開示の第２の実施形態に係る情報処理装置の機能構成を示すブロック図である。
【図１４】同実施形態に係る情報処理装置の生成するレイアウトの一例を示す説明図である。
【図１５】同実施形態に係る情報処理装置のアニメーション方向の決定についての説明図である。
【図１６】同実施形態に係る情報処理装置の操作方向に応じた表示する情報の種類の制限についての説明図である。
【図１７】同実施形態に係る情報処理装置の表示する共通表示領域についての説明図である。
【図１８】同実施形態に係る情報処理装置におけるレイアウト生成方法についての説明図である。
【図１９】同実施形態に係る情報処理装置の動作例を示すフローチャートである。
【図２０】本開示の第１及び第２の実施形態に係る情報処理装置のハードウェア構成を示すブロック図である。
【図２１】画面の切替が発生する表示方法の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．第１の実施形態（コンテンツの一部領域を表示する例）
１−１．概要
１−２．構成
１−３．動作例
２．第２の実施形態（コンテンツ中のオブジェクトを配置し表示画面を生成する例）
２−１．概要
２−２．構成
２−３．動作例
３．ハードウェア構成例
【００１３】
＜１．第１の実施形態＞
［１−１．概要］
まず、図１〜図３、及び図２１を参照して、本開示の第１の実施形態に係る情報処理装置の機能の概要について説明する。図１は、本開示の第１及び第２の実施形態に係る情報処理装置の外観例を示す説明図である。図２は、本開示の第１及び第２の実施形態に係る情報処理装置が用いるコンテンツの一例を示す説明図である。図３は、本開示の第１の実施形態に係る情報処理装置の機能の概要を説明するための説明図である。図４は、同実施形態に係る情報処理装置が表示する共通表示オブジェクトの配置例を示す説明図である。図２１は、画面の切替が発生する表示方法の一例を示す説明図である。
【００１４】
以下、本明細書及び図面において、本開示の第１の実施形態に係る情報処理装置１００ａ及び第２の実施形態に係る情報処理装置１００ｂに共通する事項について述べるときには、情報処理装置１００と称する。
【００１５】
情報処理装置１００は、表示装置を有する又は外部の表示装置の表示を制御する機能を有する表示制御装置である。情報処理装置１００は、例えばＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、情報処理装置１００は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。以下、ここでは情報処理装置１００は前面にタッチパネルを有する携帯電話とする。
【００１６】
この情報処理装置１００ａは、例えば図２に示すようなコンテンツ４０を表示画面上に表示させる機能を有する。このとき情報処理装置１００ａは、コンテンツ４０の一部を表示画面上に表示させることができる。ここで情報処理装置１００ａは、ユーザ操作に応じてコンテンツ４０のうちの表示領域を決定することができる。情報処理装置１００ａは、ユーザ操作に応じた量だけ表示領域を移動させてもよい。あるいは情報処理装置１００ａは、予めコンテンツ４０中の表示領域を複数設定しておき、ユーザ操作の方向に応じていずれかの表示領域を選択して表示させることもできる。例えば図３に示されるように、コンテンツ４０には、第１表示領域４１と、第２表示領域４２と、第３表示領域４３と、第４表示領域４４とが設定されていてよい。これらの表示領域は、コンテンツ４０中において情報の閲覧性が高い位置に設定されることが望ましい。このような構成により、ユーザが情報を閲覧するための負荷を低減することができる。またコンテンツ４０に含まれるオブジェクトから、後に詳述される共通表示オブジェクト５０が選択されてよい。
【００１７】
なお、本開示においては、これらの表示領域がコンテンツ４０全体のうちどの部分に当たるかが共通表示オブジェクトを用いて示される。共通表示オブジェクトの配置例が図４に示される。例えば第１表示領域４１を表示する状態１では、第１表示領域４１はコンテンツ４０中の左上部分であるため、共通表示オブジェクト５０の左上部分である共通表示オブジェクト５１が表示画像に含まれる。この共通表示オブジェクト５１を参照したユーザは、共通表示オブジェクト５１がオブジェクトの一部しか表示されていないことを認識することができる。また、オブジェクトの右部分が欠けていることを認識することができるため、第１表示領域４１がコンテンツ４０中の左部分であることを把握できる。
【００１８】
また第２表示領域４２を表示する状態２では、第２表示領域４２はコンテンツ４０中の左下部分であるため、共通表示オブジェクト５０の左下部分である共通表示オブジェクト５２が表示画像に含まれる。この共通表示オブジェクト５２を参照したユーザは、共通表示オブジェクト５２がオブジェクトの一部であることを認識することができる。また、オブジェクトの右部分が欠けていることから、第２表示領域４２がコンテンツ４０中の左部分であることを認識することができる。さらに状態１から状態２に遷移した場合に、遷移途中においても共通表示オブジェクト５０が表示されている。このため、直感的に状態２が状態１の下部分であることが認識される。
【００１９】
また第３表示領域４３を表示する状態３では、第３表示領域４３はコンテンツ４０中の中央下部であるため、共通表示オブジェクト５０の中央下部分である共通表示オブジェクト５３が表示画像に含まれる。
【００２０】
また第４表示領域４４を表示する状態４では、第４表示領域４４はコンテンツ４０中の右下部であるため、共通表示オブジェクト５０の右下部である共通表示オブジェクト５４が表示画像に含まれる。
【００２１】
このとき情報処理装置１００ａは、コンテンツ４０に含まれる表示領域が全て表示されると共通表示オブジェクト５０の全部分が表示されるようにレイアウトを決定することができる。
【００２２】
例えば俯瞰性のために、図２１に示されるように一覧表示と詳細表示とを切替えて表示させる方法が考えられる。しかし本開示の方法によれば、表示を切替えることなく全体に対する詳細情報の位置をユーザに認識させることができる。
【００２３】
このような情報処理装置１００ａの構成について、次に詳述される。
【００２４】
［１−２．構成］
次に図５〜図１１を参照しながら、本開示の第１の実施形態に係る情報処理装置１００ａの機能構成について説明する。図５は、同実施形態に係る情報処理装置の機能構成を示すブロック図である。図６は、同実施形態に係る情報処理装置の表示領域変更操作とアニメーション方向の決定方法の一例についての説明図である。図７は、同実施形態に係る情報処理装置の表示領域変更操作とアニメーション方向の決定方法の他の一例についての説明図である。図８は、同実施形態に係る情報処理装置において表示領域と共通表示オブジェクトのサイズとの間の関係について示す説明図である。図９は、同実施形態に係る情報処理装置における共通表示オブジェクトの表示位置決定処理についての説明図である。図１０は、同実施形態に係る情報処理装置において表示領域の変更におけるアニメーション表現の一例を示す説明図である。図１１は、同実施形態に係る情報処理装置において表示領域の変更におけるアニメーション表現の他の一例を示す説明図である。
【００２５】
図５を参照すると、本実施形態に係る情報処理装置１００ａは、コンテンツ取得部１０５と、共通表示オブジェクト決定部１１０と、操作情報取得部１１５と、レイアウト決定部１２０ａと、表示画像生成部１２５と、表示部１３０とを主に有する。
【００２６】
（コンテンツ取得部１０５）
コンテンツ取得部１０５は、表示画面上に表示させるコンテンツを取得する機能を有する。コンテンツ取得部１０５は、情報処理装置１００ａ内部に記憶されたコンテンツを取得してもよい。或いはコンテンツ取得部１０５は、ネットワークを介して接続される外部の装置からコンテンツを取得してもよい。
【００２７】
（共通表示オブジェクト決定部１１０）
共通表示オブジェクト決定部１１０は、コンテンツの表示において、表示領域が変更されても共通して表示される共通表示オブジェクト５０を決定する機能を有する。共通表示オブジェクト決定部１１０は、コンテンツに共通表示オブジェクトの情報が含まれる場合には、当該情報を参照することによって、この情報に従って共通表示オブジェクトを決定してもよい。また共通表示オブジェクト決定部１１０は、コンテンツに含まれるオブジェクトを解析することによって得られる特徴量情報に基づいて、コンテンツに含まれるオブジェクトの中から共通表示オブジェクトを決定してもよい。
【００２８】
（操作情報取得部１１５）
操作情報取得部１１５は、例えばユーザが情報を入力するための入力部と、入力に基づいて入力信号を生成する入力制御回路などを含んでよい。例えば入力部の一例としては、タッチパネル、マウス、キーボード、ボタン、マイク、スイッチ、及びレバーなどが挙げられる。
【００２９】
（レイアウト決定部１２０ａ）
レイアウト決定部１２０ａは、コンテンツ取得部１０５により取得されたコンテンツを用いて、共通表示オブジェクト決定部１１０により決定された共通表示オブジェクトの情報と、操作情報取得部１１５により取得される操作情報と、に基づいて表示画像のレイアウトを決定する機能を有する。以下、表示領域の決定、共通表示オブジェクトのレイアウト、及び表示領域の変更に伴うアニメーション表現の一例について説明する。
【００３０】
本実施形態においては、レイアウト決定部１２０ａは、コンテンツ４０の一部領域を切り出し、切り出した表示領域上に共通表示オブジェクトを重畳することによってレイアウトを決定する。例えば図６に示されるように、第１表示領域４１が表示されている状態においユーザが操作体Ｆにより表示画面上を操作する。この移動距離が一定距離以上となると、レイアウト決定部１２０ａは、この一定距離間の移動軌跡の方向からアニメーション方向を決定することができる。レイアウト決定部１２０ａは、コンテンツ４０においてこのアニメーション方向上にある第２表示領域４２を次に表示する表示領域とすることができる。
【００３１】
次に図７を参照すると、アニメーション方向と表示領域決定の他の一例が示される。図７の矢印に示されるように操作体Ｆが移動したとき、この移動軌跡に基づいてアニメーション方向が決定される。そして、レイアウト決定部１２０ａは、コンテンツ４０においてこのアニメーション方向上に位置する第３表示領域４３を次に表示する表示領域とすることができる。
【００３２】
また、図８に示されるように、レイアウト決定部１２０ａは、表示領域とコンテンツ４０との大きさの比率に基づいて共通表示オブジェクト５０が表示される大きさを決定することができる。例えば表示領域がコンテンツ４０中に占める割合が大きいほど、表示される共通表示オブジェクト５０の大きさを大きくすることができる。例えば第１表示領域４１がコンテンツ４０に占める割合は、第２表示領域４２がコンテンツ４０に占める割合よりも大きい。そこでレイアウト決定部１２０ａは、第１表示領域４１に重畳される共通表示オブジェクト５０ａの大きさを、第２表示領域４２に重畳される共通表示オブジェクト５０ｂの大きさよりも大きくしてよい。
【００３３】
また、共通表示オブジェクト５０を表示領域の画像に重畳する位置は、例えばコンテンツ４０の中心Ｃと、各表示領域の中心との位置関係に基づいて決定されてよい。例えば図９を参照すると、第１表示領域４１に関しては、コンテンツ４０の中心Ｃと第１表示領域４１の中心Ｃ１との位置関係、具体的には第１表示領域４１の中心Ｃ１から見たコンテンツ４０の中心Ｃの方向、及び第１表示領域４１の中心Ｃ１とコンテンツ４０の中心Ｃとの間の距離に基づいて共通表示オブジェクト５０の表示される位置が決定される。かかる方法により、コンテンツ４０の左上の一部領域である第１表示領域４１には、共通表示オブジェクト５０の左上の一部領域が第１表示領域４１中の右下部分に重畳される。
【００３４】
また同様に、第２表示領域４２に関しては、コンテンツ４０の中心Ｃと第２表示領域４２の中心Ｃ２との位置関係に基づいて、共通表示オブジェクト５０の表示される位置が決定される。かかる方法により、コンテンツ４０の左下の一部領域である第２表示領域４２には、共通表示オブジェクト５０の左下の一部領域が第２表示領域４２の右上部分に重畳される。
【００３５】
次に表示領域の変更に伴うアニメーション表現の一例について説明する。例えば図１０に示されるように、ＡからＢに遷移する途中で、Ｃの一部を表示させることによって、Ｃが存在することをＡからＢへの遷移の途中にユーザに認識させることができる。ここで用いられるアニメーション表現の一例としては、拡大縮小、オーバーシュートなどが挙げられる。この場合、レイアウト決定部１２０ａは、第１表示領域４１から第２表示領域４２に遷移する途中に表示する表示領域４１２がＣの情報を含むようにする。
【００３６】
また図１１においても同様に、ＡからＢに遷移する途中でＣの一部を表示させることによって、Ｃが存在することをＡからＢへの遷移の途中にユーザに認識させることができる。この場合、レイアウト決定部１２０ａは、第２表示領域４２から第３表示領域４３に遷移する途中に表示する表示領域４２３がＣの情報を含むようにする。
【００３７】
なお、アニメーション表現においては、表示するオブジェクトの属性に応じたアニメーション表現を用いることもできる。例えばコンテンツ４０に含まれる、コーディネートを示すオブジェクトに対して投票する機能を有するボタンオブジェクトが表示されることが考えられる。このときボタンオブジェクトは、ボタンと対応づけられるアイテムとの位置関係が不明確とならないように、また誤操作の可能性を低減するために、フェードなど表示位置の変更を伴わないアニメーション表現が用いられることが好ましい。
【００３８】
また、イメージオブジェクトなど連続性を保つためにフェードではなく平行移動＋スケール変化が用いられることが望ましい。またテキストオブジェクトは、視認性を保つことが重要である。このため、α値を落としながらの平行移動、又はフェードが用いられることが望ましい。例えば平行移動は、ユーザの視覚的な負荷が高いためテキストオブジェクトに用いるアニメーション表現としては好ましくない。
【００３９】
（表示画像生成部１２５）
表示画像生成部１２５は、レイアウト決定部１２０ａにより決定されたレイアウトに従って表示画像を生成する機能を有する。表示画像生成部１２５は、生成した表示画像を表示部１３０に供給することができる。
【００４０】
（表示部１３０）
表示部１３０は、表示画像生成部１２５により生成された表示画像をユーザに提供する機能を有する。ここでは表示部１３０は、表示装置と表示装置に表示させる内容を制御する表示制御部を有する。しかし本技術はかかる例に限定されない。例えば表示部１３０は、外部の表示装置の表示を制御する表示制御部であってもよい。表示装置としては、例えば液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などが用いられてよい。
【００４１】
以上、本実施形態に係る情報処理装置１００ａの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。なおこの情報処理装置１００ａのハードウェア構成の一例については、後に詳述される。
【００４２】
なお、上述のような本実施形態に係る情報処理装置１００ａの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００４３】
［１−３．動作例］
次に図１２を参照しながら、本開示の第１の実施形態に係る情報処理装置１００の動作例について説明する。図１２は、同実施形態に係る情報処理装置の動作例を示すフローチャートである。
【００４４】
図１２を参照すると、まず操作情報１１５により、タッチ操作中であるか否かが判断される（Ｓ１００）。ここでタッチ操作中であると判断された場合には、次にアニメ方向がすでに定義されているか否かが判断される（Ｓ１０５）。ステップＳ１０５の判断においてアニメ方向がまだ定義されていないと判断された場合には、次に一定距離以上ドラッグ操作が行われたか否かが判断される（Ｓ１１０）。そして一定距離以上ドラッグ操作が行われると、このドラッグ操作の軌跡に基づいてアニメ方向が定義される（Ｓ１１５）。
【００４５】
そして一方、ステップＳ１０５の判断においてアニメ方向がすでに定義されていると判断された場合には、タッチ移動量に応じてアニメーションが更新される（Ｓ１２０）。
【００４６】
また一方、ステップＳ１００においてタッチ操作中ではないと判断された場合には、次にアニメーション中であるか否かが判断される（Ｓ１２５）。ステップＳ１２５の判断においてアニメーション中ではないと判断された場合には、次に操作体Ｆである指がＵｐされたか否かが判断される（Ｓ１３０）。そして指がＵｐされたと判断された場合には次に一定距離以上ドラッグ操作が行われているか否かが判断される（Ｓ１３５）。
【００４７】
ステップＳ１３５において一定距離以上ドラッグ操作が行われたと判断されると、次にアニメーションが開始される（Ｓ１４０）。そして一方、ステップＳ１２５においてアニメーション中であると判断された場合には、アニメーションの更新が行われる（Ｓ１４５）。そして、表示が終了されたか否かが判断される（Ｓ１５０）。表示が終了されるまで、上述の処理は繰り返される。
【００４８】
＜２．第２の実施形態＞
［２−１．概要］
第１の実施形態においては、表示されるコンテンツ４０のうちの一部を切り出して表示画像が生成された。この場合にユーザに認識させる表示領域の位置はコンテンツ４０中の位置であり、コンテンツ４０のレイアウトは予め決まっていた。これに対して第２の実施形態で説明する情報処理装置１００ｂは、コンテンツ４０に含まれるオブジェクトから表示させるオブジェクトを選択して新たに画面を生成する。この場合には、全体のレイアウトが予め決まっていないため、共通表示オブジェクト５０は、直前に表示されていた表示領域との位置関係を示す。
【００４９】
［２−２．構成］
次に図１３〜図１８を参照しながら、本開示の第２の実施形態に係る情報処理装置１００ｂの機能構成について説明する。図１３は、本開示の第２の実施形態に係る情報処理装置の機能構成を示すブロック図である。図１４は、同実施形態に係る情報処理装置の生成するレイアウトの一例を示す説明図である。図１５は、同実施形態に係る情報処理装置のアニメーション方向の決定についての説明図である。図１６は、同実施形態に係る情報処理装置の操作方向に応じた表示する情報の種類の制限についての説明図である。図１７は、同実施形態に係る情報処理装置の表示する共通表示領域についての説明図である。図１８は、同実施形態に係る情報処理装置におけるレイアウト生成方法についての説明図である。
【００５０】
図１３を参照すると、本開示の第２の実施形態に係る情報処理装置１００ｂの構成が示される。情報処理装置１００ｂは、コンテンツ取得部１０５と、共通表示オブジェクト決定部１１０と、操作情報取得部１１５と、表示オブジェクト決定部１１７と、レイアウト決定部１２０ｂと、表示画像生成部１２５と、表示部１３０とを主に有する。情報処理装置１００ｂは、第１の実施形態に係る情報処理装置１００ａの構成に加えて、表示オブジェクト決定部１１７をさらに有する。以下、情報処理装置１００ａと異なる箇所について主に説明する。
【００５１】
（表示オブジェクト決定部１１７）
表示オブジェクト決定部１１７は、コンテンツ取得部１０５の取得したコンテンツから表示オブジェクトを決定する機能を有する。表示オブジェクト決定部１１７は、例えばコンテンツに含まれるオブジェクトのうち未だ表示されていないオブジェクトから表示オブジェクトを決定することができる。
【００５２】
（レイアウト決定部１２０ｂ）
レイアウト決定部１２０ｂは、共通表示オブジェクト５０を表示する位置及び大きさに加えて、表示オブジェクト決定部１１７により決定された表示オブジェクトを表示する位置及び大きさを含めたレイアウトを決定する機能を有する。
【００５３】
例えば図１４に示されるように表示領域６１が表示されている状態においてドラッグ操作が検出されると、このドラッグ操作に応じてアニメーションが更新されると共に、次に表示される表示領域６２において表示される表示オブジェクトと、共通表示オブジェクトの位置及び大きさが決定される。ここでは、「ＴＨＥ  ＰＡＮＴＳ  ＣＯＬＬＥＣＴＩＯＮ」という文字を含むオブジェクトが共通表示オブジェクト５０として用いられる。なお、上述の通りこの表示領域６１と表示領域６２との位置関係は予め決まったものではない。操作体Ｆによる操作が検出されると、レイアウト決定部１２０ｂは、この表示領域６２のレイアウトを決定して表示画面を生成することができる。
【００５４】
なお、レイアウト決定部１２０ｂは、操作情報取得部１１５により取得される操作情報に基づいてレイアウトを決定することができる。例えば図１５に示されるように、表示領域内でドラッグ操作が開始される。そしてこのドラッグ操作が一定距離以上なされると、この軌跡に基づいてアニメーション方向が定義される。そして、一定距離を超えてドラッグ操作がなされると、この軌跡を定義されたアニメーション方向へ正射影した距離分だけアニメーションが進められる。
【００５５】
また、操作方向によって、表示される情報に制限が加えられてもよい。例えば現在表示されている情報を表示するための操作方向を延伸した方向は、次の情報（次のオブジェクト）を表示するための方向であると定義されてもよい。また上記操作方向と直交する方向は、現在表示されているオブジェクトに対する並列情報を表示するための方向であると定義されてもよい。ここで並列情報とは、例えば現在表示されているオブジェクトに含まれるアイテムの詳細情報であってよい。
【００５６】
また図１７には、表示領域６１から表示領域６２に遷移するときに共通して表示される共通表示領域が示される。ここには共通表示オブジェクト５０が含まれる。この共通表示領域によって、ユーザは表示領域６１と表示領域６２との位置関係を認識することができる。なお、本実施形態においては次に表示される画面は予め位置関係が決まったものではなく操作に応じて生成されることとしたが、一度決められた位置関係は保持される。すなわち、表示領域６１から表示領域６２に遷移する操作を行って表示領域６２の画面が表示された後に、上記操作と逆方向へ遷移する操作が検出されると、再び表示領域６１が表示される。
【００５７】
ここで図１８に示されるように、表示領域６１から表示領域６２に遷移するとき、ドラッグ操作に基づいてアニメーション方向が決定される。ドラッグ操作が検出されると、次に表示される表示オブジェクトが決定される。この表示オブジェクトの表示位置は、ドラッグ操作量などに基づいて決められる。そして、共通表示領域が一定の面積となる位置が定義される。そしてこの共通表示領域が一定の面積になる位置が定義される。そしてこの表示領域６２における表示オブジェクトの情報が最大化されるように、オブジェクトのスケール及び位置が調整される。なおこのとき、オブジェクトを回転することにより調整が行われてもよい。また、アニメーションの進行に応じてオブジェクトの透過率が変更されてもよい。
【００５８】
［２−３．動作例］
次に図１９を参照しながら、本開示の第２の実施形態に係る情報処理装置１００ｂの動作例について説明する。図１９は、同実施形態に係る情報処理装置の動作例を示すフローチャートである。
【００５９】
図１９を参照すると、まず操作情報１１５により、タッチ操作中であるか否かが判断される（Ｓ１００）。ここでタッチ操作中であると判断された場合には、次にアニメ方向がすでに定義されているか否かが判断される（Ｓ１０５）。ステップＳ１０５の判断においてアニメ方向がまだ定義されていないと判断された場合には、次に一定距離以上ドラッグ操作が行われたか否かが判断される（Ｓ１１０）。そして一定距離以上ドラッグ操作が行われると、このドラッグ操作の軌跡に基づいてアニメ方向が定義される（Ｓ１１５）。
【００６０】
そして一方、ステップＳ１０５の判断においてアニメ方向がすでに定義されていると判断された場合には、タッチ移動量に応じてアニメーションが更新される（Ｓ１２０）。
【００６１】
また一方、ステップＳ１００においてタッチ操作中ではないと判断された場合には、次にアニメーション中であるか否かが判断される（Ｓ１２５）。ステップＳ１２５の判断においてアニメーション中ではないと判断された場合には、次に操作体Ｆである指がＵｐされたか否かが判断される（Ｓ１３０）。そして指がＵｐされたと判断された場合には次に一定距離以上ドラッグ操作が行われているか否かが判断される（Ｓ１３５）。
【００６２】
ステップＳ１３５において一定距離以上ドラッグ操作が行われたと判断されると、次に表示されるオブジェクトが決定される（Ｓ１３７）。そして、次にアニメーションが開始される（Ｓ１４０）。そして一方、ステップＳ１２５においてアニメーション中であると判断された場合には、アニメーションの更新が行われる（Ｓ１４５）。そして、表示が終了されたか否かが判断される（Ｓ１５０）。表示が終了されるまで、上述の処理は繰り返される。
【００６３】
＜３．ハードウェア構成例＞
以上、本開示の第１及び第２の実施形態に係る情報処理装置１００の機能について説明してきた。ここではこれらの機能を実現するための情報処理装置１００のハードウェア構成例について図２０を参照しながら説明する。図２０は、本開示の第１及び第２の実施形態に係る情報処理装置のハードウェア構成を示すブロック図である。
【００６４】
ここで、情報処理装置１００の構成の一例について説明する。図２０を参照すると、情報処理装置１００は、例えば、電話網アンテナ８１７と、電話処理部８１９と、ＧＰＳアンテナ８２１と、ＧＰＳ処理部８２３と、Ｗｉｆｉアンテナ８２５と、Ｗｉｆｉ処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９とを有する。なお、ここで示すハードウェア構成は一例であり、構成要素の一部が省略されてもよい。また、ここで示される構成要素以外の構成要素をさらに含んでもよいことは言うまでもない。
【００６５】
（電話網アンテナ８１７）
電話網アンテナ８１７は、通話及び通信用の携帯電話網と無線で接続する機能を有するアンテナの一例である。電話網アンテナ８１７は、携帯電話網を介して受信される通話信号を電話処理部８１９に供給することができる。
【００６６】
（電話処理部８１９）
電話処理部８１９は、電話網アンテナ８１７により送受信される信号に対する各種の信号処理を行う機能を有する。電話処理部８１９は、例えばマイク８５７を介して入力され、エンコーダ８５５によりエンコードされた音声信号に対して各種の信号処理を行い、電話網アンテナ８１７に供給することができる。また電話処理部８１９は、電話網アンテナ８１９から供給される音声信号に対して各種の信号処理を行い、デコーダ８５１に供給することができる。
【００６７】
（ＧＰＳアンテナ８２１）
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００６８】
（ＧＰＳ処理部８２３）
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該情報処理装置１００までの距離をそれぞれ算出する。そして、算出された各ＧＰＳ衛星の位置と、各ＧＰＳ衛星から当該情報処理装置１００までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【００６９】
（Ｗｉｆｉアンテナ８２５）
Ｗｉｆｉアンテナ８２５は、例えば無線ＬＡＮ（Ｌｏｃａｌ  Ａｒｅａ  Ｎｅｔｗｏｒｋ）通信網との通信信号をＷｉｆｉの仕様に従って送受信する機能を有するアンテナである。Ｗｉｆｉアンテナ８２５は、受信した信号を通信処理部８２７に供給することができる。
【００７０】
（Ｗｉｆｉ処理部８２７）
Ｗｉｆｉ処理部８２７は、Ｗｉｆｉアンテナ８２５から供給された信号に各種の信号処理を行う機能を有する。Ｗｉｆｉ処理部８２７は、供給されたアナログ信号から生成したデジタル信号をＣＰＵ８３９に供給することができる。
【００７１】
（地磁気センサ８２９）
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【００７２】
（加速度センサ８３１）
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【００７３】
（ジャイロセンサ８３３）
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【００７４】
（気圧センサ８３５）
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【００７５】
（撮像部８３７）
撮像部８３７は、ＣＰＵ８３９の制御に従い、レンズを介して静止画像又は動画像を撮影する機能を有する。撮像部８３７は、撮影した画像を記憶部８５９に記憶させてもよい。
【００７６】
（ＣＰＵ８３９）
ＣＰＵ８３９は、演算処理装置及び制御装置として機能し、各種プログラムに従って情報処理装置１００内の動作全般を制御する。またＣＰＵ８３９は、マイクロプロセッサであってもよい。このＣＰＵ８３９は、各種プログラムに従って様々な機能を実現することができる。
【００７７】
（ＲＯＭ８４１，ＲＡＭ８４３）
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【００７８】
（操作部８４７）
操作部８４７は、所望の操作をするための入力信号を生成する機能を有する。操作部８４７は、例えばタッチセンサ、マウス、キーボード、ボタン、マイク、スイッチ及びレバーなど情報を入力するための入力部と、入力に基づいて入力信号を生成し、ＣＰＵ８３９に出力する入力制御回路などから構成されてよい。
【００７９】
（表示部８４９）
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、画面を表示することにより情報を提供することができる。
【００８０】
（デコーダ８５１，スピーカ８５３）
デコーダ８５１は、ＣＰＵ８３９の制御に従い、入力されたデータのデコード及びアナログ変換などを行う機能を有する。デコーダ８５１は、例えば電話網アンテナ８１７及び電話処理部８１９を介して入力された音声データのデコード及びアナログ変換などを行い、音声信号をスピーカ８５３に出力することができる。またデコーダ８５１は、例えばＷｉｆｉアンテナ８２５及びＷｉｆｉ処理部８２７を介して入力された音声データのデコード及びアナログ変換などを行い、音声信号をスピーカ８５３に出力することができる。スピーカ８５３は、デコーダ８５１から供給される音声信号に基づいて音声を出力することができる。
【００８１】
（エンコーダ８５５，マイク８５７）
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【００８２】
（記憶部８５９）
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００８３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８４】
例えば、上記第２の実施形態では、表示画面の遷移を一例を挙げて説明したが、本技術の適用範囲は、ここで示した例に限定されないことは言うまでもない。例えばさらに多段階で表示画面が遷移されてもよい。この場合であっても、少なくとも直前に表示された表示画面との位置関係を示す位置に共通表示オブジェクト５０は表示される。
【００８５】
また上記実施形態では、クライアント機器である情報処理装置１００において表示画像の生成などの処理が行われることとしたが、本開示の技術的範囲はかかる例に限定されない。上記情報処理装置１００の機能の一部は、クライアント機器とネットワークを介して接続されるサーバー上において行われてもよい。このようなサーバーは、クライアント機器から送信された指示に応じて、例えばコンテンツの解析、レイアウトの生成、又は表示画像の生成などの処理を行い、表示画像又は表示制御信号をクライアント機器に送信することができる。このような実施の形態についても本開示の技術的範囲に含まれる。
【００８６】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００８７】
なお、以下のような構成も本開示の技術的範囲に属する。
（１）
表示状態の変更前後において共通して表示される共通表示オブジェクトを取得する取得部と、
前記表示状態を変更する操作後の表示画面上における前記共通表示オブジェクトの表示位置を、前記操作の方向に基づいて決定するレイアウト決定部と、
決定された前記表示位置に前記共通表示オブジェクトを含む表示画像を生成する画像生成部と、
を備える、情報処理装置。
（２）
前記画像生成部は、前記共通表示オブジェクトの一部分を含む前記表示画像を生成する、前記（１）に記載の情報処理装置。
（３）
前記表示画像に含まれる前記共通表示オブジェクトの前記一部分は、前記操作の前記方向に基づいて決定される、前記（２）に記載の情報処理装置。
（４）
前記画像生成部は、選択されたコンテンツを用いて前記表示画像を生成し、
前記レイアウト決定部は、前記操作後の前記表示画面に含まれる前記コンテンツ中の一部分が前記コンテンツに占める割合に基づいて、前記共通表示オブジェクトの大きさを決定する、前記（１）〜（３）のいずれかに記載の情報処理装置。
（５）
選択されたコンテンツに含まれるオブジェクトから前記共通表示オブジェクトを決定する共通表示オブジェクト決定部、
をさらに備える、前記（１）〜（４）のいずれかに記載の情報処理装置。
（６）
前記共通表示オブジェクト決定部は、文字を含むオブジェクトから前記共通表示オブジェクトを決定する、
前記（５）に記載の情報処理装置。
（７）
前記画像生成部は、選択されたコンテンツの一部を切り出し、前記共通表示オブジェクトを重畳することにより前記表示画像を生成する、
前記（１）〜（６）のいずれかに記載の情報処理装置。
（８）
前記レイアウト決定部は、前記操作後の前記表示画面に含まれる前記コンテンツの前記一部が前記コンテンツに占める割合に基づいて、重畳する前記共通表示オブジェクトの大きさを決定する、
前記（７）に記載の情報処理装置。
（９）
前記レイアウト決定部は、選択されたコンテンツに含まれるオブジェクトの配置を再構成することによりレイアウトを決定して、前記操作後のレイアウトを動的に生成する、
前記（１）〜（６）のいずれかに記載の情報処理装置。
（１０）
前記レイアウト決定部は、前記操作の方向に基づいて、次の操作方向に表示される情報の内容を制限する、
前記（９）に記載の情報処理装置。
（１１）
表示状態の変更前後において共通して表示される共通表示オブジェクトを取得することと、
前記表示状態を変更する操作後の表示画面上における前記共通表示オブジェクトの表示位置を、前記操作の方向に基づいて決定することと、
決定された前記表示位置に前記共通表示オブジェクトを含む表示画像を生成することと、
を含む、情報処理方法。
（１２）
コンピュータを、
表示状態の変更前後において共通して表示される共通表示オブジェクトを取得する取得部と、
前記表示状態を変更する操作後の表示画面上における前記共通表示オブジェクトの表示位置を、前記操作の方向に基づいて決定するレイアウト決定部と、
決定された前記表示位置に前記共通表示オブジェクトを含む表示画像を生成する画像生成部と、
を備える、情報処理装置として機能させるためのプログラム。
【符号の説明】
【００８８】
１００    情報処理装置
１０５    コンテンツ取得部
１１０    共通表示オブジェクト決定部
１１５    操作情報取得部
１１７    表示オブジェクト決定部
１２０    レイアウト決定部
１２５    表示画像生成部
１３０    表示部
【図１】
0006011551.tif 000002
【図２】
0006011551.tif 000003
【図３】
0006011551.tif 000004
【図４】
0006011551.tif 000005
【図５】
0006011551.tif 000006
【図６】
0006011551.tif 000007
【図７】
0006011551.tif 000008
【図８】
0006011551.tif 000009
【図９】
0006011551.tif 000010
【図１０】
0006011551.tif 000011
【図１１】
0006011551.tif 000012
【図１２】
0006011551.tif 000013
【図１３】
0006011551.tif 000014
【図１４】
0006011551.tif 000015
【図１５】
0006011551.tif 000016
【図１６】
0006011551.tif 000017
【図１７】
0006011551.tif 000018
【図１８】
0006011551.tif 000019
【図１９】
0006011551.tif 000020
【図２０】
0006011551.tif 000021
【図２１】
0006011551.tif 000022